(57)【要約】  光源の特性を決定する方法及びデバイスと、交換用光源を選択する方法とが提供される。当該方法は、動作している光源の第１画像を取得し（１０２）、照射環境の第２画像を取得し（１０６）、第１画像及び第２画像が取得された各瞬間における対応する第１カメラ及び第２カメラの光学システム及び画像処理システムの第１カメラ設定及び第２カメラ設定を取得する（１０４、１０８）。第１画像、第２画像、並びに、第１及び第２カメラ設定は、解析（１１０）されて、光源の特性が推定される。光源の特性は、交換用光源を提案するために使用され、提案される交換用光源の特性は、交換用光源の照射環境への影響をシミュレートするために使用される。
2016524265.tif 000002
【特許請求の範囲】
【請求項１】
光を放出する光エミッタを含む光源の特性を決定する方法であって、
第１カメラによって、動作している前記光源の第１画像を取得するステップと、
第１カメラ設定を取得するステップと、
第２カメラによって、前記光源によって照射されている照射環境の第２画像を取得するステップと、
第２カメラ設定を取得するステップと、
前記光源の第１パラメータを推定するように、前記第１画像を解析し、前記第１カメラ設定を解析するステップと、
を含み、
前記第１画像は、第１方向において第１位置から取得され、
前記第１カメラ設定は、前記第１画像が取得された瞬間に使用された前記第１カメラの画像処理システム及び光学システムのパラメータを表し、
前記第２画像は、前記第１方向とは異なる第２方向において第２位置から取得され、
前記第２カメラ設定は、前記第２画像が取得された瞬間に使用された前記第２カメラの画像処理システム及び光学システムのパラメータを表し、
前記光源の前記第１パラメータは、前記光エミッタによって放出される光の特性に関連し、
前記第１画像を解析し、前記第１カメラ設定を解析する前記ステップにおいて、前記光源の第２パラメータを推定し、また、前記光源の前記第１パラメータをより正確に推定するように、前記第２画像及び前記第２カメラ設定も解析され、
前記光源の前記第２パラメータは、前記光源によって放出される光ビームの特性に関連し、前記第２パラメータは、前記光ビームの形状に関する情報を含む、方法。
【請求項２】
前記第２カメラは、前記第１カメラであり、前記方法は更に、前記第１画像を取得後、前記第２画像を取得するために、前記第２方向における前記第２位置に、前記第１カメラを再配置するステップを含む、請求項１に記載の方法。
【請求項３】
前記第２位置は、前記第１位置と実質的に同一であり、前記第２方向は、前記第１方向と実質的に反対である、請求項１又は２に記載の方法。
【請求項４】
前記光エミッタによって放出される光の特性は、前記光源によって放出される光度、前記光源の発光スペクトル、放出された前記光の色点、放出された前記光の色温度のうちの少なくとも１つを含み、
前記第１パラメータは、前記光源の幾何学的パラメータを含み、前記光源の前記幾何学的パラメータは、前記光源の発光面の形状、前記光源のサイズ、前記光源における可視光学要素のパラメータ、前記光源が提供される照明器具の特性のうちの少なくとも１つを含み、前記照明器具の特性は、形状、サイズ、取付け法及び照明器具タイプを含む、請求項１乃至３の何れか一項に記載の方法。
【請求項５】
前記照射環境が、追加の光エミッタを含む追加の光源によっても照射されているかどうかを決定するために、前記第２画像を解析するステップと、
前記追加の光源の追加の第１画像を取得するステップと、
追加の第１カメラ設定を取得するステップと、
を更に含み、
前記追加の第１カメラ設定は、前記追加の第１画像が取得された瞬間に使用された前記第１カメラの前記画像処理システム及び前記光学システムのパラメータを表し、
前記第２画像及び前記第２カメラ設定と共に、前記第１画像を解析し、前記第１カメラ設定を解析する前記ステップにおいて、前記光源の前記第２パラメータ及び／又は前記第１パラメータをより正確に推定するために、前記追加の光源の前記照射環境への影響を推定するように、前記追加の第１画像及び前記追加の第１カメラ設定も解析される、請求項１記載の方法。
【請求項６】
前記光源を第２動作モードへと制御するステップと、
前記第１カメラによって、前記第２動作モードで動作している前記光源の更なる第１画像を取得するステップと、
更なる第１カメラ設定を取得するステップと、
前記第２動作モードに関連する前記光源の更なるパラメータを推定するように、前記更なる第１画像を解析し、前記更なる第１カメラ設定を解析するステップと、
を更に含み、
前記光源は、第１動作モードと前記第２動作モードとで制御可能であり、前記第１動作モード及び前記第２動作モードのそれぞれは、特定の発光に関連し、前記第１動作モードの発光は、前記第２動作モードの発光とは異なり、前記第１画像は、前記光源が、前記第１動作モードで動作しているときに前記光源から取得され、
前記更なる第１カメラ設定は、前記更なる第１画像が取得された瞬間において使用された前記第１カメラの前記画像処理システム及び前記光学システムのパラメータを表し、
前記光源の前記更なるパラメータは、前記光エミッタによって放出された光の特性に関連し、及び／又は、前記光源の幾何学的パラメータに関連する、請求項１に記載の方法。
【請求項７】
前記第１画像を取得する前記ステップ、前記追加の第１画像を取得する前記ステップ、及び／又は、前記更なる第１画像を取得する前記ステップは、
前記第１カメラを、それぞれ、前記光源、前記追加の光源、又は、前記第２動作モードで動作している前記光源に向けるように、ユーザに指示するステップと、
前記画像処理システムの情報に基づいて、受光量が最小値を超えるかどうかを検出するステップと、
前記受光量が前記最小値を超える場合に、対応する画像を取得するステップと、
を含む、請求項１、５又は６に記載の方法。
【請求項８】
前記光源の前記第１パラメータを推定するように、前記第１画像を解析し、前記第１カメラ設定を解析する前記ステップは、
前記第１画像に類似する光源の画像を見つけるように、前記第１画像を、光源の画像と共に各光源のパラメータに関する情報も記憶するデータベースに記憶される当該光源の画像と比較するステップと、
前記第１画像に類似する見つけられた前記画像の前記光源のパラメータを取得することによって、前記データベースから前記第１パラメータを取得するステップと、
を含む、請求項１に記載の方法。
【請求項９】
前記第１カメラは更に、前記光源の熱シグネチャを取得するために、赤外線スペクトル領域で前記光源を撮像し、
前記第１画像を取得する前記ステップは、熱シグネチャを取得するステップを含み、前記光源の前記第１パラメータを推定するように、前記第１画像を解析し、前記第１カメラ設定を解析する前記ステップにおいて、前記光源の動作条件に関連する前記光源の更なる特性を取得するように、前記熱シグネチャも解析される、請求項１に記載の方法。
【請求項１０】
前記第１カメラ及び／又は前記第２カメラは、ハイパースペクトルカメラである、請求項１に記載の方法。
【請求項１１】
請求項１乃至１０の何れか一項に記載の光源の特性を決定する方法のステップを含む、交換用光源を選択する方法であって、
交換用光源及び／又は交換用光エミッタのリストから、交換用光源及び／又は交換用光エミッタを選択するステップと、
選択された前記交換用光源及び／又は選択された前記交換用光エミッタを、ユーザに提案するステップと、
を更に含み、
前記交換用光源及び／又は前記交換用光エミッタは、前記光源の前記第１パラメータ及び／又は前記第２パラメータのうちの１つに類似する少なくとも１つのパラメータを有する、方法。
【請求項１２】
選択された前記交換用光源及び／又は選択された前記交換用光エミッタの前記照射環境への影響をシミュレートするステップと、
選択された前記交換用光源及び／又は選択された前記交換用光エミッタの前記照射環境への前記影響をシミュレートした結果を示す適応第２画像を生成するステップと、
前記適応第２画像を前記ユーザに提示するステップと、
を更に含む、請求項１１に記載の交換用光源を選択する方法。
【請求項１３】
選択された前記交換用光源及び／又は選択された前記交換用光エミッタは、第３動作モード及び第４動作モードで動作し、前記第３動作モード及び前記第４動作モードのそれぞれにおいて、選択された前記交換用光源及び／又は選択された前記交換用光エミッタは、特定の発光を放出し、前記第３動作モードの前記発光は、前記第４動作モードの前記発光とは異なり、取得された前記適応第２画像は、選択された前記交換用光源及び／又は選択された前記交換用光エミッタの前記第３動作モードに関連し、
選択された前記交換用光源及び／又は選択された前記交換用光エミッタの前記照射環境への影響をシミュレートするステップと、
選択された前記交換用光源及び／又は選択された前記交換用光エミッタの前記照射環境への前記影響をシミュレートした結果を示す更なる適応第２画像を生成するステップと、
前記更なる適応第２画像を前記ユーザに提示するステップと、
を更に含み、
前記シミュレーションは、前記第４動作モードでの選択された前記交換用光源及び／又は選択された前記交換用光エミッタの動作に関連する、請求項４に従属する請求項１１に記載の交換用光源を選択する方法。
【請求項１４】
モバイルコンピューティングデバイス用のダウンロード可能なアプリケーション用コンピュータプログラムであって、前記モバイルコンピューティングデバイスの処理ユニット上で実行された場合に、請求項１乃至１０の何れか一項に記載の光源の特性を決定する方法、又は、請求項１１乃至１３の何れか一項に記載の交換用光源を選択する方法のステップを実行するように適応されたコンピュータプログラムコードを含むコンピュータプログラム。
【請求項１５】
光源の特性を決定するデバイスであって、
画像処理システム及び光学システムを含む第１カメラと、
請求項１に記載の光源の特性を決定する方法又は請求項１１に記載の交換用光源を選択する方法のステップを実行するように適応されたコンピュータプログラムコードを含むコンピュータプログラムを記憶したデータストレージと、
前記第１カメラに連結され、また、前記データストレージに連結される処理ユニットと、
を含み、
前記画像処理システム及び前記光学システムのパラメータは、前記第１カメラで画像が取得される間に、撮像された物体又は環境の高品質画像を取得するために調節され、
前記処理ユニットは、前記データストレージに記憶された前記コンピュータプログラムを実行する、デバイス。
【発明の詳細な説明】
【技術分野】
【０００１】
本発明は、カメラによって取得された画像に基づいて、光源の特性を決定できる方法及びデバイスに関する。
【背景技術】
【０００２】
特定の応用では、照明システムに使用されている光源のタイプを知ることが必要である。例えばランプを、よりエネルギー効率の良いランプと交換する必要がある場合、既存の光源を、ほぼ同じ発光特性を有する光源と交換することが望まれるので、現在、設置されている光源及び光エミッタに関する知識が必要である。他の応用では、照明システムは、照射環境において特定の所定の照明パターンが得られるように、光源を制御する。当該照明システムのコントローラは、当該特定の所定の照明パターンを得るにはどのように光源が制御されなければならないのかを予測できるように、光源の特性についての何らかの知識を有する必要がある。
【０００３】
第１の解決策では、設置された光源の特性は、照明システムのコントローラに手動で提供される。光源が交換される毎に、新しい光源の特性が、コントローラに提供されなければならない。第２の解決策では、光源は、動作モードで制御され、照射環境の画像が取られて、当該光源の環境への影響が検出され、また、場合によっては、画像から光源特性が導出される。第２の解決策は、自動的に行われ、更には、照明システムが点灯される度に行われるが、特有の欠点も有する。光源の特性を決定するために反射光が使用されるため、環境が、光源の特性決定に影響を与える点である。例えば環境全体が比較的暗い色を有する場合、光源によって放出される光度は、低く見積もられるであろう。
【０００４】
国際特許公開公報ＷＯ２００８／００１２５９は、ターゲット配光に基づいて照明システムを制御する方法を開示している。照明システムの光源の影響データが、カメラで取得される。影響データは、照明システムの特定の光源に関する情報を含み、特定の光源の動作によって、どのように照射環境が影響を受けるかを示す。照明システムが、ターゲット配光に従って制御されなければならない場合、影響データが使用されて、当該ターゲット配光に従った照射環境を取得するために、光源が制御される方法が推定される。
【０００５】
英国特許出願公開公報第２４５３１６３Ａ号は、物体又はシーンの３次元表現を決定するシステムを開示している。当該システムは、１つ以上の光源を提供し、１つ以上の２次元画像取得デバイスを含む。物体又はシーンの３次元表現を決定できるためには、光源の特性が分かっていなければならない。画像取得デバイスによって取得される物体又はシーンによって反射される光が、特性を推定するために使用される。前述の通り、反射光を使用することは、必ずしも光源特性の正確な推定につながらない。
【発明の概要】
【発明が解決しようとする課題】
【０００６】
本発明は、光源の特性をより正確に推定する、光源の特性を決定する方法を提供することを目的とする。
【課題を解決するための手段】
【０００７】
本発明の一態様は、光源の特性を決定する方法を提供する。本発明の更なる態様は、交換用光源を選択する方法を提供する。本発明の別の態様は、光源の特性を決定するデバイスを提供する。有利な実施形態は、従属請求項に規定される。
【０００８】
本発明の第１の態様による光源の特性を特定する方法は、ｉ）第１カメラによって、動作している光源の第１画像を取得するステップと、ｉｉ）第１カメラ設定を取得するステップと、ｉｉｉ）第２カメラによって、光源によって照射されている照射環境の第２画像を取得するステップと、ｉｖ）第２カメラ設定を取得するステップと、ｖ）光源の第１パラメータを推定するように、第１画像を解析し、第１カメラ設定を解析するステップとを含む。第１画像は、第１方向２１０において第１位置Ｐ１から取得され、第２画像は、第１方向２１０とは異なる第２方向２１４、２１２において第２位置Ｐ２から取得され、第２カメラ設定は、第２画像が取得された瞬間に使用された第２カメラの画像処理システム及び光学システムのパラメータを表す。光源は、光を放出する光エミッタを含む。第１カメラ設定は、第１画像が取得された瞬間に使用された第１カメラの画像処理システム及び光学システムのパラメータを表す。光源の第１パラメータは、光エミッタによって放出される光の特性に関連する。第１画像を解析し、第１カメラ設定を解析するステップにおいて、光源の第２パラメータを推定し、また、光源の第１パラメータをより正確に推定するように、第２画像及び第２カメラ設定も解析される。光源の第２パラメータは、光源によって放出される光ビームの特性に関連する。第２パラメータは、光ビームの形状に関する情報を含む。
【０００９】
本発明の第１の態様による方法は、動作している光源を直接的に撮像する第１画像を、光源の第１パラメータを特徴付けるための基盤として使用する。第１画像を取得することによって、他の物体又は表面が第１画像内に記録される光に影響を与えることが阻止されるので、第１画像は、光源に関して信頼できるデータを含む。
【００１０】
光源のすべての特性が、第１画像のみに基づいて正確に推定できるわけではない。例えば光源によって放出されている光ビームが細いのか又は太いのかを、第１画像からは見て取ることができない。この情報は、照射環境にある。というのは、照射環境において、光ビームのフットプリントが、照射環境の表面上に可視であり、このフットプリントは、光ビームが細いのか又は太いのか、円形であるのか又は長方形であるのかといった光ビームの形状に関する情報に変換できるからである。したがって、第２画像を取得することによって、光源に関するより信頼できる情報が取得できる。照射環境における情報を、光源によって放出された光ビームに関する情報に変換するために、第１位置、第１方向、第２位置及び第２方向に関する情報も考慮される。例えば遠近感によって、光ビームのフットプリントの形状は変化する。第１位置、第２位置、第１方向及び第２方向が知られている場合、光ビームのフットプリントの撮像された形状は、遠近補正技術を用いて、光ビームの実際の形状に変換される。
【００１１】
したがって、第１カメラ設定の取得及び第２カメラ設定の取得と共に、第１画像及び第２画像を取得し、これらの画像の情報を解析し、これらの設定の値を使用することによって、上記方法は、光源のパラメータをより正確に推定できる。これは、より多くの情報が利用可能なことによる。
【００１２】
カメラによって撮られた各画像は、ある程度までは、カメラ設定によって影響を受ける。アナログ画像が撮られる場合、例えばシャッタ速度、アパーチャサイズ、焦点距離及びフィルム特性（ＩＳＯ、フィルムの種類）によって、どのように光源が撮像されるかが決定される。デジタル画像が撮られる場合、例えばシャッタ速度、アパーチャサイズ、焦点距離は、依然として、第１画像における光源の撮像に影響を与える重要なカメラ設定である。デジタル撮像では、取得された第１画像に影響を与える追加の画像処理ステップも適用されることがある。当該追加の画像処理ステップの例としては、特定のＩＳＯ値に従って画像センサからの生データを処理すること、輝度及びコントラストを変更すること、及び、色補正を適用すること等が挙げられる。カメラ設定が分かっていると、光源から受け取った光の特性を、第１画像から推論できる。例えばシャッタ速度、アパーチャサイズ及びＩＳＯ値を使用して、光源の特定の部分から受け取った光束を計算できる。第１画像の特定部分の色は、可能な色補正（又はフィルム特性）と併せて、光源によって放出された色、色点又は色分布に関する情報を提供する。
【００１３】
「光源」及び「光エミッタ」との用語は、光を放出する実際のコンポーネントを、光エミッタの周りのパッケージ全体から区別するために使用される。光エミッタは、例えば電球、光管、ＬＥＤ等である。光エミッタの周りのパッケージ全体は、リフレクタ、光学要素及び／又は発光に影響を与える照明器具の他のコンポーネントを含んでよい。
【００１４】
なお、第１カメラの画像センサは、第１カメラの画像処理システム内に含まれている。
【００１５】
任意選択的に、第１パラメータは、光源の幾何学的パラメータにも関連している。第１画像自体が、光源のサイズ又は形状といった光源の追加情報を提供してもよい。
【００１６】
任意選択的に、第２カメラは、第１カメラである。上記方法は更に、第１画像を取得後、第２画像を取得するために、第１カメラを第２位置に再配置するステップと、第１カメラを第２方向に方向転換するステップとを含む。この任意選択の実施形態は、ハードウェアを節約できる。１つのカメラしか利用可能ではない場合でも、依然として、２つの画像を生成でき、再配置及び方向転換だけが必要な追加の動作である。
【００１７】
任意選択的に、第２位置は、第１位置と実質的に同一であり、第２方向は、第１方向と実質的に反対である。カメラを有する２つの反対面を有するデバイスが使用される場合、この単一のデバイスを使用して、第１画像及び第２画像を取得できる。様々なタイプの携帯電話機及びタブレットコンピュータが両面に２つのカメラを有しており、したがって、これらは、本発明による方法を実行するのに有用なデバイスである。ユーザは、デバイスを第１位置に配置し、１つのカメラを、動作している光源に向けなければならない。すると、デバイス自体が、当該デバイスは光源に向けられていることを自動的に検出し、第１画像及び第２画像を自動的に取得してもよい。又は、ユーザが、デバイスにコマンドを提供して、第１画像及び第２画像を取得してもよい。第１画像及び第２画像を、ほぼ同じ場所から、かつ、反対方向において取得することには追加の利点がある。追加の利点とは、光ビームパラメータの決定をより容易にする点である。例えば、第２画像内に撮像される光ビームのフットプリントは、様々な画像における様々な遠近感の影響を受けて変更されることがない。
【００１８】
上記任意選択の実施形態の好適な実施形態では、第１位置及び第２位置は、光源によって放出された光ビーム内にある。
【００１９】
任意選択的に、光エミッタによって放出される光の特性は、光源によって放出される光度、光源の発光スペクトル、放出された光の色点、放出された光の色温度のうちの少なくとも１つを含む。光源の幾何学的パラメータは、光源の発光面の形状、光源のサイズ、光源における可視光学要素のパラメータ、光源が提供される照明器具の特性のうちの少なくとも１つを含む。可視光学要素は、例えば可視リフレクタ、防眩ラメラ等である。照明器具の特性は、照明器具の形状、サイズ、取付け法及びタイプを含む。
【００２０】
任意選択的に、光ビームの特性は、空間発光分布、空間光度分布のうちの少なくとも１つを含む。
【００２１】
任意選択的に、上記方法は更に、ｉ）照射環境が、追加の光エミッタを含む追加の光源によっても照射されているかどうかを決定するために、第２画像を解析するステップと、ｉｉ）追加の光源の追加の第１画像を取得するステップと、ｉｉｉ）追加の第１カメラ設定を取得するステップとを含み、追加の第１カメラ設定は、追加の第１画像が取得された瞬間に使用された第１カメラの画像処理システム及び光学システムのパラメータを表す。第１画像を解析し、第１カメラ設定を解析するステップにおいて、光源の第２パラメータ及び／又は第１パラメータがより正確に推定できるように、追加の光源の第２画像の照射環境への影響を推定するように、追加の第１画像及び追加の第１カメラ設定も解析される。したがって、２つ以上の光源が環境を照射する場合には、第２画像にある光源に関する情報が歪んでしまう。追加の光源の情報が考慮されたのならば、照射環境において、光源由来の照明効果を、追加の光源由来の照明効果から区別できるようになる。したがって、光源の第２パラメータだけでなく、第１パラメータも、より正確に推定できる。
【００２２】
任意選択的に、照射環境が、追加の光源によっても照射されているかどうかを推定するために、第２画像を解析するステップは、ｉ）照射環境における物体を検出するステップと、ｉｉ）検出された物体の周りの影を検出するステップと、ｉｉｉ）照射環境が、追加の光源によって照射されているかどうかを推定するために、検出された影を解析するステップとを含む。この実施形態の任意選択のステップは、第２画像が取得された瞬間に他の追加の光源が動作していたかどうかを検出するヒューリスティクスを提供する。ヒューリスティクスは、通常、特定の精度レベルの情報を取得するための強力なアルゴリズムである。追加のステップにおいて、検出された追加の光源の数が、第１及び／又は第２カメラを操作するユーザに提供され、確認が求められる。なお、他のヒューリスティクスを使用して、照射環境が、追加の光源によっても照射されているかどうかを推定してもよい。なお、ステップｉ）及びｉｉ）は、使用された特定のヒューリスティクス及び特定のアルゴリズムに依存して、別の順序で行われてもよい。
【００２３】
任意選択的に、光源の特性を決定する上記方法は更に、追加の光源の追加のパラメータを推定するように、追加の第１画像を解析し、追加の第１カメラ設定を解析するステップを含む。追加の光源の追加のパラメータは、追加の光エミッタによって放出された光の特性に関連し、また、追加の光源の幾何学的パラメータに関連する。特定の応用では、追加の光源の追加のパラメータも利用可能であることが有用である。更に、追加のパラメータは、光源由来の照明効果と、追加の光源由来の照明効果とを、第２画像においてより良好に区別するために使用されてもよい。
【００２４】
任意選択的に、光源は、第１動作モードと第２動作モードとで制御可能であり、第１動作モード及び第２動作モードのそれぞれは、特定の発光に関連し、第１動作モードの発光は、第２動作モードの発光とは異なる。第１画像は、光源が、第１動作モードで動作しているときに光源から取得されたものである。光源の特性を決定する上記方法は更に、ｉ）光源を第２動作モードへと制御するステップと、ｉｉ）第１カメラによって、第２動作モードで動作している光源の更なる第１画像を取得するステップと、ｉｉｉ）更なる第１カメラ設定を取得するステップと、ｉｖ）第２動作モードに関連する光源の更なるパラメータを推定するように、更なる第１画像を解析し、更なる第１カメラ設定を解析するステップとを含む。更なる第１カメラ設定は、更なる第１画像が取得された瞬間において使用された第１カメラの画像処理システム及び光学システムのパラメータを表し、光源の更なるパラメータは、光エミッタによって放出された光の特性に関連し、また、光源の幾何学的パラメータに関連する。したがって、例えば光源が特定の光度レベルに調光されると、又は、例えば光源が異なる色分布の放出に切り替えられると、この任意選択の実施形態は、光源が様々な動作モードで動作しているときの光源の特性を推定する手段を提供する。したがって、光源の特性がより良好に決定される。任意選択の実施形態は、第１及び第２動作モードに関連するが、光源は、３つ以上の動作モードで動作してもよく、任意選択の実施形態では、光源の特性は、複数の動作モードのそれぞれについて、又は、そのサブセットについて推定される。
【００２５】
任意選択的に、第１画像を取得するステップ、追加の第１画像を取得するステップ、及び／又は、更なる第１画像を取得するステップは、ｉ）第１カメラを、それぞれ、光源、追加の光源、又は、第２動作モードで動作している光源に向けるように、ユーザに指示するステップと、ｉｉ）画像処理システムの情報に基づいて、受光量が最小値を超えるかどうかが検出されるステップと、ｉｉｉ）受光量が最小値を超える場合に、対応する画像が取得されるステップとを含む。この任意選択の実施形態は、不正確な第１画像、不正確な追加の第１画像、及び／又は、不正確な更なる第１画像が取得されることを防ぐ。というのは、最小値を超える場合にのみ、動作している光源が撮像される可能性が比較的高いからである。最小値は、予め決められていても、又は、例えば環境の平均照明条件に依存して動的に設定されてもよい。
【００２６】
任意選択的に、光源の第１パラメータを推定するように、第１画像を解析し、第１カメラ設定を解析するステップは、ｉ）第１画像に類似する光源画像を見つけるように、第１画像を、光源画像と共に各光源のパラメータに関する情報も記憶するデータベースに記憶される当該光源画像と比較するステップと、ｉｉ）第１画像に類似する見つけられた画像の光源のパラメータを取得することによって、データベースから第１パラメータを取得するステップとを含む。光源の画像を有するデータベースが、幾つか利用可能であってもよい。例えば光源の製造業者がこのようなデータベースを提供してもよい。このようなデータベースを使用することによって、非常に正確な第１パラメータを取得する努力は少なくて済む（データベースが、正確な情報を含むことを前提とする）。なお、前述の通り、光源の第１パラメータを推定するように、第１画像を解析し、第１カメラ設定を解析するステップにおいて、受け取った光の光度及び／又は色を推定するための特定の光学計算、及び、光源の幾何学的パラメータを推定するための画像認識技術といった特定の技術が使用される。この任意選択の実施形態は、上記特定の技術に加えて使用されてよく、当該技術から得られたデータは、データベース内の最も類似する光源画像を見つけるために使用される。或いは、この任意選択の実施形態は、上記特定の技術を適用する代わりに使用されてもよい。
【００２７】
任意選択的に、第１カメラは更に、光源の熱シグネチャを取得するために、赤外線スペクトル領域で光源を撮像する。光源の第１パラメータを推定するように、第１画像を解析し、第１カメラ設定を解析するステップにおいて、熱シグネチャも解析されて、光源の動作条件に関連する光源の更なる特性が取得される。光源の追加の特性が、熱シグネチャから取得される。当該熱シグネチャを使用することによって、光源の特性がより正確に決定される。
【００２８】
任意選択的に、第１カメラ及び／又は第２カメラは、ハイパースペクトルカメラである。従来のデジタルカメラは、人間の裸眼に可視であるスペクトル内で受け取られた電磁波の表現及び推定である画像を生成するＲＧＢセンサアレイを使用する。ハイパースペクトルカメラは、電磁スペクトル全体のより多くの領域において、また、より狭いスペクトル帯において情報を収集して処理する。ハイパースペクトルカメラは、特定の実施形態では、様々なスペクトル領域の様々な画像を生成する。ハイパースペクトルカメラは、より多くの情報を収集できる。より多くの情報が取得されると、光源の特性をより正確に推定できる。
【００２９】
本発明の更なる態様によれば、交換用光源を選択する方法が提供される。当該方法は、光源の特性を決定する方法のステップを含み、更に追加的に、ｉ）交換用光源及び／又は交換用光エミッタのリストから、交換用光源及び／又は交換用光エミッタを選択するステップと、ｉｉ）選択された交換用光源及び／又は選択された交換用光エミッタを、ユーザに提案するステップとを含み、交換用光源及び／又は交換用光エミッタは、光源の第１パラメータ及び／又は第２パラメータのうちの１つに類似する少なくとも１つのパラメータを有する。これらの任意選択の追加のステップは、特性が決定された光源についての交換用光エミッタ及び／又は交換用光源のリストを、ユーザに提案する自動システムにおいて使用されてよい。これにより、ユーザがどの特定のタイプの光源が設置されているのかを把握しておく必要がなくなり、及び／又は、ユーザが設置されている光源の特性を、入手可能な交換用光エミッタ及び交換用光源と手動で比較する必要がなくなる。したがって、この任意選択の実施形態は、比較的使い勝手が良い。リストは、データベースから取り出されてもよい。例えば光エミッタ及び光源の製造業者が、入手可能な光エミッタ及び光源を有するデータベースを提供する場合、当該データベースを、光源の特性を決定する方法において使用して、この特定の製造業者から、交換用光エミッタ又は光源を選択することが有利である。
【００３０】
任意選択的に、交換用光源及び／又は交換用光エミッタを選択するステップは、光源の第２動作モードの更なるパラメータも考慮する。光源が様々な動作モードで動作できる場合、同様のパラメータで様々な動作モードを有する交換用光源及び／又は交換用光エミッタを選択することが好都合である。この任意選択の実施形態は、幾つかの動作モードを有する交換用光源／光エミッタの選択を可能にする。これらの動作モードのうちの少なくとも幾つかは、光源の動作モードに類似する。
【００３１】
任意選択的に、光源の特性を決定する方法は、選択された交換用光源及び／又は選択された交換用光エミッタの照射環境への影響をシミュレートするステップを含む。照射環境とは、第２画像内に撮像される環境である。選択された交換用光源及び／又は選択された交換用光エミッタの照射環境への影響をシミュレートするステップは、選択された交換用光源及び／又は選択された交換用光エミッタの環境への影響を示す適応第２画像を生成するステップを含む。適応第２画像は、ユーザに提示される。この任意選択の実施形態は、選択された交換用光源及び／又は選択された交換用光エミッタが、光源と全く同じ第１パラメータ及び／又は第２パラメータを有さない場合でも、特に使い勝手が良い。というのは、ユーザが相違点は許容可能であるかどうかを判断する助けとなる追加の情報がユーザに提供されるからである。
【００３２】
任意選択的に、選択された交換用光エミッタ及び／又は選択された交換用光源は、第３動作モード及び第４動作モードにおいて動作してもよい。第３動作モード及び第４動作モードのそれぞれにおいて、選択された交換用光エミッタ及び／又は選択された交換用光源は、特定の光を放出する。第３動作モードの発光は、第４動作モードの発光とは異なってよい。取得された適応第２画像は、選択された交換用光源及び／又は選択された交換用光エミッタの第３動作モードに関連してよい。したがって、上記方法は更に、ｉ）選択された交換用光源及び／又は選択された交換用光エミッタの環境への影響をシミュレートするステップと、ｉｉ）影響をシミュレートした結果を示す更なる適応第２画像を生成するステップと、ｉｉｉ）更なる適応第２画像を前記ユーザに提示するステップとを含み、上記シミュレーションは、選択された交換用光源及び／又は選択された交換用光エミッタの第４動作モードでの動作に関連する。この任意選択の実施形態は、ユーザに、選択された交換用光源及び／又は選択された交換用光エミッタの追加の動作モードの影響に関する追加の情報を提供するので、使い勝手が良い。
【００３３】
本発明の別の態様によれば、コンピュータ上で実行されると、光源の特性を決定する方法、又は、交換用光源を選択する方法のステップを実行するように適応されたコンピュータプログラムコードを含むコンピュータプログラムが提供される。任意選択的に、コンピュータプログラムは、コンピュータ可読媒体上に具現化されてもよい。
【００３４】
本発明の更なる態様によれば、モバイルコンピューティングデバイス用のダウンロード可能なアプリケーションが提供される。当該ダウンロード可能なアプリケーションは、モバイルコンピューティングデバイスの処理ユニット上で実行されると、光源の特性を決定する方法、又は、交換用光源を選択する方法のステップを実行するように適応されたコンピュータプログラムコードを含むコンピュータプログラムを含む。モバイルコンピューティングデバイスは、例えばスマートフォン又はタブレットコンピュータである。
【００３５】
本発明の別の態様によれば、光源の特性を決定するデバイスが提供される。当該デバイスは、第１カメラと、データストレージと、処理ユニットとを含む。第１カメラは、画像処理システム及び光学システムを含み、それらのパラメータは、第１カメラで画像が取得される間に、撮像された物体又は環境の画像を取得するために調節される。データストレージは、光源の特性を決定する方法の上記実施形態の何れか１つの実施形態による方法、又は、交換用光源を選択する方法の上記実施形態の何れか１つの実施形態による方法のステップを実行するように適応されたコンピュータプログラムコードを含むコンピュータプログラムを記憶する。処理ユニットは、データストレージと第１カメラとに連結され、データストレージに記憶されたコンピュータプログラムを実行する。任意選択的に、デバイスはモバイルデバイスである。
【００３６】
本発明の第２の態様によるデバイスは、光源の特性を決定するために使用される装置をユーザに提供する。当該デバイスは、光源の特性を自動的に決定するのを支援する。更に、当該デバイスがモバイルデバイスであるならば、例えば光源を交換しなければならない場合に、光源の特定が決定されなければならない場所に当該デバイスを運ぶことにあまり多くの努力を必要としない。
【００３７】
第１カメラのパラメータは、第１カメラによって自動的に調節されても、及び／又は、第１カメラのこれらのパラメータのうちの１つ以上のパラメータは、デバイスのユーザによって調節されてもよい。例えばユーザはＩＳＯ値を選択しても、第１カメラのレンズの焦点を調節するためにズーム機能を使用してもよい。
【００３８】
任意選択的に、コンピュータプログラムは、デバイス内で、例えばハードディスク、揮発性又は不揮発性メモリ等といったデータストレージに記憶される。
【００３９】
任意選択的に、デバイスは、第２カメラを含む。任意選択的に、第２カメラは、画像処理システム及び光学システムを含み、それらのパラメータは、第１カメラで画像が取得される間に、撮像された物体又は環境の高品質画像を取得するために調節される。画像処理システムは、第１カメラと共有されてもよい。なお、デバイスが第１カメラしか含まない場合、第１画像及び第２画像は、第１カメラを第１方向において第１位置に配置した後、第２画像を取得するために、第１カメラを第２方向に向く第２位置に再配置することによって、取得される。
【００４０】
任意選択的に、デバイスは、デバイスのユーザに命令を提供し、画像をユーザに提示するユーザインターフェースを含む。
【００４１】
任意選択的に、処理ユニットは更に、デバイスのユーザインターフェースを介して、デバイスのユーザに、第１カメラで光源の第１画像を取得し、取得画像をユーザに提示するように指示する命令を含む更なるコンピュータプログラムを実行する。ユーザに命令が提供されることによって、ユーザは、デバイスの操作において、取得された第１画像が光源を正しく撮像しているように、支援される。
【００４２】
任意選択的に、更なるコンピュータプログラムは更に、ユーザに、照射環境の第２画像を取得するために、デバイスを実質的に反対の方向に向け、取得画像をユーザに提示するように指示する命令を含む。命令が提供されることによって、ユーザは、上記された様々な方法の様々なステップを実行する際に支援される。
【００４３】
任意選択的に、デバイスの処理ユニットが、交換用光源又は交換用光エミッタを決定し、処理ユニットが、適応第２画像を取得するように、交換用光源又は交換用光エミッタの影響をシミュレートする場合、デバイスは、適応第２画像を、デバイスのユーザインターフェースのディスプレイ上に提示する。
【００４４】
本発明の第２の態様によるデバイスは、本発明の第１の態様による光源の特性を決定する方法と同じ便益を提供し、また、当該方法の対応する実施形態と同様の効果を有する同様の実施形態を有する。
【００４５】
本発明のこれらの及び他の態様は、以下に説明される実施形態を参照して明らかとなる。
【００４６】
当業者であれば理解されるように、本発明の上記されたオプション、実施態様及び／又は態様のうちの２つ以上が、任意の有意と思われる態様で組み合わされてもよい。
【００４７】
上記方法の説明された修正態様及び変形態様に対応する方法及び／又はデバイスの修正態様及び変形態様は、本明細書における説明に基づいて、当業者によって実施されることが可能である。
【図面の簡単な説明】
【００４８】
【図１】図１は、光源の特性を決定する方法を概略的に示す。
【図２】図２は、光源が照射する環境における当該光源を概略的に示し、また、第１及び第２画像を取得するカメラを概略的に示す。
【図３ａ】図３ａは、光源の第１画像を概略的に示す。
【図３ｂ】図３ｂは、照射環境の第２画像を概略的に示す。
【図４ａ】図４ａは、２つの光源によって照射された環境の第２画像を概略的に示す。
【図４ｂ】図４ｂは、本発明の方法の任意選択のステップを概略的に示す。
【図５ａ】図５ａは、本発明の方法の任意選択の追加ステップを概略的に示す。
【図５ｂ】図５ｂは、本発明の方法の任意選択の追加ステップを概略的に示す。
【図６ａ】図６ａは、更なる第１画像を概略的に示す。
【図６ｂ】図６ｂは、適応第２画像を概略的に示す。
【図７】図７は、モバイルデバイスの一実施形態を概略的に示す。
【００４９】
なお、様々な図面において同じ参照符号で示されるアイテムは、同じ構造上の特徴及び同じ機能を有するか、又は、同じ信号である。当該アイテムの機能及び／又は構造が説明されている場合には、詳細な説明においてその説明を繰り返す必要はない。
【００５０】
図面は、図表に過ぎず、縮尺通りではない。特に明瞭とするために、一部の寸法は、大きく誇張されている。
【発明を実施するための形態】
【００５１】
図１に、第１の実施形態が示されている。図１は、光源の特性を決定する方法１００を概略的に示す。当該方法は、ｉ）第１カメラによって、動作中の光源の第１画像を取得するステップ１０２と、ｉｉ）第１カメラ設定を取得するステップ１０４と、ｉｉｉ）第１画像を解析し、第１カメラ設定を解析して、光源の第１パラメータを推定するステップ１１０とを含む。第１カメラ設定は、第１画像が取得された時に使用された第１カメラの画像処理システムと光学システムとのパラメータを表す。光源の第１パラメータは、光エミッタによって放出された光の特性に関連し、また、光源の幾何学的パラメータに関連する。方法１００の任意選択の実施形態では、方法１００は更に、ｉｖ）第２カメラによって、光源によって照射されている照射環境の第２画像を取得するステップ１０６と、ｖ）第２カメラ設定を取得するステップ１０８とを含む。第１画像は、第１方向において第１位置から取得され、第２画像は、第１方向とは異なる第２方向において第２位置から取得される。第２カメラ設定は、第２画像が取得された時に使用された第２カメラの画像処理システムと光学システムとのパラメータを表す。第１画像を解析し、第１カメラ設定を解析するステップ１１０において、第２画像及び第２カメラ設定も解析されて、光源の第２パラメータが推定され、また、光源の第１パラメータがより正確に推定される。光源の第２パラメータは、光源によって放出された光ビームの特性に関する。第２パラメータは、例えば光源によって放出された光ビームの形状に関する情報を含む。
【００５２】
図２、図３ａ及び図３ｂを用いて、ステップ１０２乃至１１０の動作はより詳細に説明される。図２は、部屋の内部２００を表す。部屋は一例に過ぎず、他の部屋又は空間、更には屋外空間も、光源の特性を決定する方法が使用される領域であってよい。部屋の天井２０２に、光源２０４が提供される。光源２０４は、四角形のサイズを有し、光源２０４の光エミッタの前に、防眩ラメラを含む。光源２０４は、下方向に光ビーム２０６を放出する。一例として、円柱物体２１６が室内に配置されている。
【００５３】
一例では、第１カメラ２０８が、第１方向２１０において第１位置Ｐ１から光源の第１画像を取得する。図３に、例示的な第１画像３００が示されている。前述の通り、第１カメラは、光学システムと画像処理システムとを含む。第１画像３００を取得する時に、取得画像が比較的良好な画像であるように、光学システム及び画像処理システムの特定のパラメータは、特定値に適応される。当該比較的良好な画像を得るために、ユーザがパラメータの値に影響を与えてもよいし、又は、第１カメラ２０８がパラメータの値を自動的に適応させてもよい。「比較的良好な」とは、第１画像３００内に、物体が、比較的良好なカラーバランス、比較的良好なコントラスト、比較的良好な強度レベルで撮像され、また、任意選択的に、第１画像３００内に、鮮明に撮像されることを意味する。カメラのこのようなパラメータの例としては、シャッタ速度、アパーチャサイズ、ＩＳＯ値、色補正のパラメータ、ホワイトバランスパラメータ、レンズシステムの焦点等が挙げられる。これらのパラメータの実測値は、読み出されて、第１カメラ設定が取得される。
【００５４】
次に、第１画像３００は、第１カメラ設定の解析と共に、解析されて、光源の第１パラメータが推定される。第１画像において、明るい領域３０２に垂直の暗い線が見える場合がある。明るい領域の周りには、より暗い領域３０６がある。第１画像３００を解析する際に、光源の光エミッタの発光面及び／又は光エミッタによって放出された光をカメラに向けて反射する光源のリフレクタに関連する明るい領域３０２が見出される。明るい領域３０２の画素の色及び強度は、光源２０４の光エミッタによって放出された光の特性に関する情報を含む。例えば第１カメラ２０８のレンズにおける受光束の値を、光源の第１パラメータに変換するためには、画像に加えて、第１カメラ設定も解析されなければならない。これは、シャッタ速度が比較的速い場合、受光束は比較的高く、アパーチャサイズが比較的大きい場合、受光束は比較的低いからである。光源及び光学分野の当業者であれば、第１画像３００の画素の情報及び第１カメラ設定を、光源の光エミッタによって放出された光に関する情報に変換するために、公式、計算、ヒューリスティクス及び／又はアルゴリズムを適用できるであろう。このような特性の例としては、放出された光度、発光スペクトル、放出光の色点、放出光の色温度が挙げられる。Syscomp Electronic Design LimitedのP. D. Hiscocksによって書かれ、インターネット上で公開されている論文「Measuring Luminance with a Digital Camera」（http://www.ee.ry erson.ca:8080/~phiscock/astronomy/light-pollution/luminance-notes.pdf.）を参照されたい。この論文は、光源の輝度を測定するためにどのようにデジタルカメラを使用できるか、また、どのようにカメラ設定を考慮しなければならないのかについて述べている。
【００５５】
更に、解析ステップ１１０では、任意選択的に、例えば発光面の形状、光源２０４のサイズ、光源２０４の（上記例の防眩ラメラといった）可視光学要素のパラメータ、光源２０４が提供されている照明器具の特性といった光源の幾何学的パラメータも取得される。照明器具の特性は、照明器具の形状、サイズ、取付け法及びタイプを含む。これらの幾何学的パラメータを取得するために、光源２０４の第１画像３００のパターン認識技術及び幾何変換が使用されてもよい。
【００５６】
よく見える暗い線３０４は、光の透過を遮る物体に関連し、第１位置Ｐ１から見える光学要素として認識される。光源２０４にどのような種類の光学要素が提供されているのかを決定するために、パターン認識技術が使用されてもよい。
【００５７】
これに代えて又はこれに加えて、第１画像３００及び第１カメラ設定を解析するステップでは、光源の画像を含むデータベースが閲覧される。このデータベースには、光源の画像が、撮像された光源のパラメータと共に記憶されている。比較的高い確率で、第１画像３００内に撮像されている光源をデータベース内に見つけるために、パターン認識技術及び画像比較技術が使用されてもよい。次に、光源の第１パラメータが、データベースから取り出される。
【００５８】
図１から見て取れるように、任意選択の実施形態では、方法１００は更に、ｉ）第２画像を取得するステップ１０６と、ｉｉ）第２カメラ設定を取得するステップ１０８とを含む。第１画像を解析し、第１カメラ設定を解析するステップ１１０において、第２画像及び第２カメラ設定も解析されて、光源の第２パラメータが推定され、また、光源の第１パラメータがより正確に推定される。光源の第２パラメータは、光源によって放出された光ビームの特性に関する。
【００５９】
図２において、第２位置Ｐ２に第２カメラ２１５が示されている。第２カメラ２１５は、方向２１４において第２画像を取得する。図示されるように、第２カメラ２１５は、部屋が光源２０４によって照射されているときに、当該部屋を撮像することができる。方向２１４は、第１方向２１０とは同じではない。或いは、第１カメラ２０８が、第１方向２１０とは実質的に反対の第２方向２１２において、実質的に同じ第１位置Ｐ１から第２画像を取得できる第２カメラシステムを含む。例えば第１カメラ２０８は、携帯電話機又はタブレットコンピュータに組み込まれていてもよく、当該携帯電話機又はタブレットコンピュータは、第１カメラ２０８を第１の側面に含み、第２カメラを第１の側面とは反対の第２の側面に含む。第１カメラ２０８は、単一のカメラシステム（光学システム等）のみを有するデジタルカメラで、ユーザが、第１画像３００を取得した後、第１位置Ｐ１において、第１カメラ２０８の向きを変えて、第２方向２１２において第２画像３５０を取得してもよい。
【００６０】
光源２０４によって放出された光ビーム２０６の特定の特性に関する情報を、第１画像３００のみにおいて検出することは比較的難しい。このような特定の特性は、例えば空間発光分布及び空間光度分布である。第１画像３００は、光ビーム２０６がどれくらい太いのか又は細いのかを示さず、また、光度がどのように様々な発光方向において変動するのかを示さない。これは、第１カメラが、第１位置Ｐ１において、光源２０４によって放出された光の一部分しか受光しないことによる。第２カメラ２１５によって方向２１４において第２位置Ｐ２から撮られた、又は、第１カメラ２０８によって第２方向２１２において第１位置Ｐ１から撮られた第２画像は、反射光を検知するので、第２画像には、光ビーム２０６に関する情報がある。
【００６１】
図３ｂに、例示的な第２画像３５０が示されている。第２画像３５０は、第１カメラ２０８によって、第２方向２１２において第１位置Ｐ１から撮られたものである。したがって、第２画像３５０は、部屋２００の床の光反射パターンと、物体２１６の上面による光反射とを撮像する。第２画像３５０において、比較的明るい四角形３５２と、その周りにある明るさが劣る領域３５４とが見て取れる。比較的明るい領域３５２は、光源２０４の光ビーム２０６のフットプリントである。このような領域は、解析ステップ１１０において認識される。光ビーム２０６のフットプリントの形状に基づいて、空間発光分布が推定される。例えば光ビーム２０６の断面形状は、実質的に四角形であり、光源２０４は、天井への法線に対し（したがって、光源２０４の発光面に対し）特定の発光角まで光を放出する。発光角の決定には、第１カメラの位置Ｐ１が考慮される。明るさが劣る領域３５４は、光ビーム２０６の空間光度分布に関する情報をより多く提供する。解析において、光源２０４は、大きい発光角において低い光度を放出することが分かっている。パターン認識技術と、第１画像３００内の撮像された光源と第２画像３５０内の撮像された形状３５２、３５４との間の関係（例えば相関関係）を見出すこととによって、光ビームが、実質的に四角形の断面形状を有すると結論付けられる。第１画像３００内に撮像された光源２０４の推定される形状と、第２画像３５０の情報とが互いに相関させられると、最も明るい円３５６が、光源２０４の光ビーム２０６には恐らく最も関連していないが、物体の表面に恐らく最も関連している第２画像３５０の領域として特定される。これは、影に思える暗い領域３５８によって更に裏付けられる。物体の影を検出するために、パターン認識技術が使用されてもよい。影は、例えば光ビーム２０６の光の拡散性といった光源特性に関する多くの情報を提供する。例えば影３５８が徐々に明るくなっている場合は、光ビーム２０６の光は、比較的拡散している（つまり、光ビーム２０６において、光は、幾つかの方向に放出されている）。影３５８の境界が比較的鮮明である場合は、光ビーム２０６の光は、拡散していない。つまり、光ビームが、サブビームに分割される場合には、サブビームのほぼすべての光線が、実質的に同じ方向に放出されている。
【００６２】
したがって、第２画像３５０の解析は、光源２０４によって放出された光ビーム２０６の特性である第２パラメータの推定をもたらす。第２画像３５０の情報は更に、第１パラメータをより正確に推定するために使用される。例えば第２画像３５０において、照射環境が、特定の精度レベル内で、ほぼ同じ色の光を反射すると、この反射光の色は、光源によって放出された光の色に強く関連する。したがって、反射光は、光源２０４によって放出された光の推定されるパラメータを微調整するために使用される。なお、逆の場合でもうまくいく。第１画像に基づいて、放出光の色が分かっている場合、第２画像にある反射光は、照射環境の表面の色を推定するために使用される。
【００６３】
なお、第２画像３５０は、第１位置Ｐ１から及び／又は第２方向２１２において撮られていない場合、異なって見え、第２画像を、図３ｂの画像に似た画像に変換するためには、幾何変換技術が使用される。しかし、必ずしも第２画像を、当該類似する画像に変換しなくてもよい。というのは、光源の第２パラメータを取得するために第２画像を解析している際に、第２画像にある情報と光源２０４によって放出された光ビームの方向との幾何学的関係が既に考慮されている場合があるからである。
【００６４】
図１は更に、第１画像３００を取得するステップ１０２のサブステップを示す。ステップ１１２において、ユーザは、第１カメラを光源に向けるように指示される。本願において後に説明されるように、他の光源の画像が生成されなければならない場合に、ユーザは、第１カメラを他の光源に向けるように指示される。ステップ１１４において、第１カメラは、画像処理システムの情報に基づいて、受光量が、最小値を超えているかどうかを検出する。この最小値は、予め決められていても、又は、（例えば環境の平均照明条件といった）環境条件によって変動してもよい。受光量の決定は、例えば第１カメラの画像センサの領域に亘って照明強度を積分し、例えばアパーチャサイズ及び焦点距離の補正を適用することを含む。ステップ１１６において、受光量が最小値を超える場合に、第１カメラによって対応する画像が取得される。任意選択的に、ステップ１０６は、ユーザが、第１カメラ又は第２カメラを照射環境に向けて移動させるように指示されるサブステップを含む。
【００６５】
なお、任意選択の実施形態では、第１カメラ及び／又は第２カメラは、主に、人間の裸眼に可視であるスペクトル領域内の光を検知する。別の実施形態では、第１カメラと、任意選択的に第２カメラとは更に、光源の熱シグネチャを取得するために、（光源を可視スペクトル領域内で撮像することに加えて）赤外線スペクトル領域内で光源を撮像してもよい。この実施形態では、第１画像を取得するステップ１０２は更に、熱シグネチャを取得するステップを含み、第１画像及び第１カメラ設定を解析するステップ１１０は更に、熱シグネチャを解析して、第１パラメータ及び／又は第２パラメータを（より正確に）推定するステップを含む。例えば光源２０４が、白熱灯を含む場合、熱プロファイルは、フィラメントの可能な温度についての情報を提供する。当該温度は、多くの場合、フィラメント自体における特定の材料の使用、及び／又は、白熱灯における特定のガスの使用に関連する。例えば従来の電球及びハロゲンランプは、白熱灯の実施形態である。しかし、これらのランプに他の材料が使用されると、例えば他の熱シグネチャがもたらされる。したがって、様々な熱シグネチャを用いて、例えば従来の電球とハロゲンランプとを区別できる。
【００６６】
任意選択の実施形態では、第１カメラ及び／又は第２カメラは、ハイパースペクトルカメラである。従来のカメラは、人間の裸眼に可視であるスペクトル内で受け取った電磁波の画像を生成する。ハイパースペクトルカメラは、電磁スペクトル全体のより多くの領域での情報を収集して処理する。情報が収集され処理される電磁スペクトルのこのような追加の領域の例は、例えば赤外線スペクトル領域及び近紫外スペクトル領域である。ハイパースペクトルカメラは、特定の実施形態では、様々なスペクトル領域の様々な画像を生成する。ハイパースペクトルカメラは、より多くの情報を収集できる。より多くの情報が取得されると、光源の特性をより正確に推定できる。ハイパースペクトルカメラによって取得されたすべての情報又は情報の一部は、第１カメラ画像及び第１カメラ設定を解析するステップ１１０において使用されて、第１パラメータ及び／又は第２パラメータが（より正確に）推定される。例えば可視スペクトル領域の波長以外の波長において放出された電磁波は、光源の光エミッタに使用される材料について情報を提供する。これらの電磁波は更に、不可視光線の影響の原因となる一部のＵＶ波長が発光内にあることも明らかにする。
【００６７】
図２では、部屋２００の一部を照射する第２光源２１８も描かれている。この第２光源２１８が点灯されていると想定すると、図３ｂの第２画像３５０は、異なって見え、図４ａの第２画像４００に更に似る。第２画像４００には、四角形３５２と楕円４０２とによって形成される２つの明るい領域があることが見て取れる。更に、第２の影４０４も見て取れる。本発明の方法の任意選択の実施形態では、第２画像４００も解析されて、照射環境が、追加の光源によって照射されているかどうかが決定される。追加の光源を見つけるために第２画像を解析するこのステップ４５２は、第２画像４００内の物体３５６を検出するステップ４６０と、検出された物体３５６の周りの影４０４、３５８を検出するステップ４６２と、照射環境が追加の光源によって照射されているかどうかを推定するために、検出された影４０４、３５８を解析するステップ４６４に分割される。更なる任意選択の実施形態では、検出された光源の数が、ユーザに通信され、これにより、ユーザは、第２画像が取得された時に使用されていた光源の数を確認（又は変更）することができる。
【００６８】
次に、照射環境は、追加の光源によって照射されていることが検出されると、ステップ４５４において、追加の光源２１８の追加の第１画像が取得され、ステップ４５６において、追加の第１カメラ設定が取得される。追加の第１カメラ設定は、追加の第１画像が取得された時に使用された第１カメラの画像処理システム及び光学システムのパラメータを表す。続いて、任意選択のステップ４５８において、追加の第１画像及び追加の第１カメラ設定が解析されて、追加の光源の追加のパラメータが推定される。追加の光源の追加のパラメータは、追加の光エミッタによって放出された光の特性に関し、また、追加の光源の幾何学的パラメータに関する。追加の第１画像及び追加の第１カメラ設定は、第１画像及び第１カメラ設定と、第２画像及び第２カメラ設定とを解析するステップ１１０においても考慮されて、第１パラメータ及び／又は第２パラメータがより正確に推定される。例えば追加の光源が、特定の色を放出すると分かっていると、第２画像４００から、どのようにこの追加の光源が、撮像された照射環境に影響を与えているかが見て取れる。追加の光源の影響を決定することは、照射環境における照明効果に関するより多くの知識につながり、これにより、解析ステップ１１０において、光源２０４の照射環境への照明効果が、すべての他の可視光効果から、より良好に切り離される。
【００６９】
図５ａは、図１の方法１００に追加されてもよい追加のステップ５００を示す。追加のステップ５００は、特に、光源が様々な動作モードで動作する状況に関する。光源は、動作モードのそれぞれにおいて、異なる発光を放出する。例えば光エミッタは、光エミッタが最大光量の１００％を放出する第１動作モードにおいて制御され、また、光エミッタが最大光度の５０％を放出する第２動作モードにおいて制御される。なお、動作モードは、より暖かい白色光又はより冷たい白色光のように、様々な色スペクトルの放出にも関連する。又は、様々な動作モードは、より広い光ビーム又はより細い光ビームのように、様々な光ビームの放出にも関連する。更に、本文書のコンテキストでは、「動作モード」とは、少なくとも一部の光が放出されているモードに関連し、光源の「消灯」状態には関連しない。更に、第１画像は、光源が第１動作モードで動作しているときに、ステップ１０２において撮られると想定される。追加のステップは、第２動作モードで動作するように、光源を制御するステップ５０２と、第１カメラによって、第２動作モードで動作している光源の更なる第１画像を取得するステップ５０４と、更なる第１カメラ設定を取得するステップ５０６と、更なる第１画像を解析し、更なる第１カメラ設定を解析して、第２動作モードに関連する光源の更なるパラメータを推定するステップ５０８とを含む。光源の更なる特性は、光エミッタによって放出された光の特性に関連し、また、光源の幾何学的パラメータに関連する。更なる第１カメラ設定は、更なる第１画像が取得された時に使用された第１カメラの画像処理システム及び光学システムのパラメータを表す。
【００７０】
図６ａは、ステップ５０４において取得された更なる第１画像６００の一例を示す。この例では、光源２０４の更なる第１画像６００は、第１方向２１０（図２を参照）において第１位置Ｐ１から取得され、光源２０４は、光源２０４が低い光度を放出する第２動作モードにおいて動作していると想定されている。画像の中央にある比較的明るい四角形６０２は、図３ａの第１画像３００の四角形３０２よりも明るくはない。これは、光源２０４は、第２動作モードにおいて低い発光を放出していることを示す。別の実施形態では、更なる第１画像６００は、図３ａの第１画像３００とほぼ同じである（つまり、四角形６０２は、第１画像３００の四角形３０２とほぼ同じ輝度を有する）。しかし、更なるカメラ設定は、シャッタ時間がより長く、アパーチャサイズがより大きく、及び／又は、ＩＳＯ値がより高いことを示している。この状況では、更なる第１画像と更なる第１カメラ設定とを解析するステップ５０８において、更なる第１画像６００と更なる第１カメラ設定との組み合わせはすぐに、光源２０４が、第２動作モードで弱い光を放出しているという情報を提供する。更なる第１画像６００と更なる第１カメラ設定との組み合わせは、第２動作モードにおいて光源によって放出された光の実際の量を推定するために使用される（また、他のパラメータも、この情報に基づいて推定される）。
【００７１】
図５ｂは、図１の方法１００に追加されてもよい追加のステップ５５０を示す。ステップ５５０は、光源の特性を決定し、また、ユーザに交換用光源又は交換用光エミッタを提案する方法をユーザに提供する。交換用光源及び／又は交換用光エミッタが記載されたリストが利用可能であり、当該リストには、交換用光源及び／又は交換用光エミッタと共に、パラメータが記憶されると想定される。このようなパラメータは、例えば動作モードと、交換用光源及び／若しくは光エミッタによって放出される光の特性、並びに／又は、例えば交換用光源及び／又は光エミッタによって放出される光ビームの特性に関する情報を提供する。このリストは、データベースから入手可能であり、方法のステップ５５０によってアクセス可能である。追加のステップ５５０は、少なくとも、ｉ）交換用光源及び／又は交換用光エミッタのリストから、交換用光源及び／又は交換用光エミッタを選択するステップ５５２と、ｉｉ）選択された交換用光源及び／又は選択された交換用光エミッタを、ユーザに提案するステップ５５４とを含み、選択された交換用光源及び／又は交換用光エミッタは、光源の第１パラメータ及び／又は第２パラメータのうちの１つに類似する少なくとも１つのパラメータを有する。なお、１つの類似するパラメータが、交換用光源及び／又は交換用光エミッタを選択するのに十分である。しかし、一実施形態では、光源の第１パラメータ及び／又は第２パラメータに類似するパラメータを比較的多く有する交換用光エミッタ及び／又は交換用光源が選択される。任意選択的に、光源の第１パラメータ及び／又は第２パラメータにほとんどのパラメータが共通している交換用光エミッタ及び／又は交換用光源が選択される。任意選択の実施形態では、光源が様々な動作モードを有する場合、更なるパラメータも考慮され、提案される交換用光源及び／又は交換用光エミッタも、追加の動作モードにおける同様のパラメータを有する当該追加の動作モードを有する。交換用光源及び／又は光エミッタの提案は、例えば第１カメラ若しくは第２カメラのディスプレイ及び／若しくはユーザインターフェース、又は、本発明の方法を実行するシステムのデバイスを介して行われてよい。
【００７２】
一実施形態では、追加のステップ５５０は更に、ｉｉｉ）選択された交換用光源及び／又は選択された交換用光エミッタの照射環境への影響をシミュレートするステップ５５６と、ｉｖ）ステップ５５６における照射環境への影響のシミュレーション結果を示す適応第２画像を生成するステップ５５８と、ｖ）適応第２画像をユーザに提示するステップ５６０とを含む。光源を交換する際、大抵の場合、当該光源と全く同じパラメータを含む交換用光源及び／又は交換用光エミッタを得ることができない。ユーザが光源を交換することを決定する前に、上記追加ステップｉｉｉ）〜ｖ）によって提供されるように、交換による影響をユーザに示すことが有利である。適応第２画像の提示は、例えば第１カメラ若しくは第２カメラのディスプレイ及び／若しくはユーザインターフェース、又は、本発明の方法を実行するシステムのデバイスを介して行われてよい。
【００７３】
光源及び／又は光エミッタの環境への影響をシミュレートする方法が、当技術分野において幾つか知られている。例えばK.R. Shailesh他による論文「Application of RELUX software in Simulation and Analysis of Energy Efficient Lighting Scheme」（インターナショナルジャーナル・オブ・コンピュータアプリケーションズ、第９巻、第７号、２０１０年１１月）は、特定のケーススタディにおけるこのような自動方法の応用について述べている。このような方法について説明する別の論文は、Bhavani R.G.他による「Advanced Lighting Simulation Tools for Daylight purposes: Powerful Features and Related Issues」（トレンド・イン・アプライドサイエンスリサーチ、第６巻、第４号、２０１１年）である。光源の照明効果は、例えば光源の第１パラメータ及び第２パラメータを用いて（第２画像内に撮像される）照射環境において認識され、その後、認識された照明効果は、交換用光源及び／又は交換用光エミッタの照明効果によって交換される。交換用光源及び／又は交換用光エミッタの照明効果の生成は、交換用光源及び／又は交換用光エミッタを有するリスト又はデータベースから得られる交換用光源及び／又は交換用光エミッタのパラメータに基づいて行われる。
【００７４】
一実施形態では、選択された交換用光源及び／又は選択された交換用光エミッタの影響のシミュレーションステップ５５６と、適応第２画像の生成ステップ５５８とは、次のステップによって行われてもよい。即ち、（ｉ）第２画像は、１つの色チャネル（赤、青及び緑）にそれぞれ関連する３つのサブ画像に分解され、次に、（ｉｉ）各色チャネル（赤、青及び緑）について、調節率が計算される。調節率は、光源によって放出された色チャネルにおける光量によって除算される選択された交換用光源及び／又は選択された交換用光エミッタによって放出された色チャネルにおける光量を表す。（ｉｉｉ）（１つの特定の色チャネルを表す）各サブ画像の画素値を、当該特定の色チャネル用の調節率で乗算し、適応されたサブ画像を得る。最後に、（ｉｖ）適応されたサブ画像を組み合わせることによって、適応第２画像が生成される。なお、画像を、特定の色チャネルを表す様々なサブ画像に分解し、適応されたサブ画像を組み合わせて適応された画像にすることは、当業者には良く知られているである。ほぼどの画像処理プログラムも分解及び組み合わせステップを行うことができる。
【００７５】
なお、シミュレーションステップ５５６と、適応第２画像の生成ステップ５５８及び提示ステップ５６０とは、選択された交換用光源及び／又は選択された交換用光エミッタの様々な動作モードについても行われてもよい。
【００７６】
なお、照射環境の追加の第２画像は、方向２１４において第２位置Ｐ２から取得されても、又は、第２方向２１２において第１位置Ｐ１から取得されてもよい。追加の第２画像は、光源が消灯しているとき及び／又は光源が別の動作モードで操作しているときに取得される。照射環境の追加の第２画像は、交換用光源及び／又は交換用光エミッタが提案される場合に、提案された交換用光源及び／又は交換用光エミッタの影響が正確にシミュレートされて、比較的良好な適応第２画像が取得できるように、光源２０４の照射環境への影響を決定するように使用される。例えば光源２０４が消灯されている時に照射環境の画像が撮られることによって、光源によって照射されていない環境のベースライン画像が提供され、また、光源２０４の第１パラメータ及び第２パラメータが分かっている場合には、従来技術において、光源２０４の照射環境への影響を推定／シミュレートする方法が知られている。上記段落において説明されたような選択された交換用光源及び／又は選択された交換用光エミッタの影響をシミュレートし、適応第２画像を生成するために使用される方法ステップの更なる改良として、当該方法は更に、光源によって照射されていない環境のベースライン画像を、赤色、緑色及び青色のサブ画像の画素計算における補正値（offset）として使用する。例えばベースライン画像が、最初に、例えば分解された第２のＲＧＢサブ画像からの分解されたベースラインＲＧＢサブ画像の画素単位の減算によって、第２画像から減算されると、調節率は、光源と置換用光源との照射のみを考慮し、他の光源２１８又は日光の調節率の計算及び第２画像における寄与を実質的に排除する。
【００７７】
図６ｂは、追加ステップ５５０の結果である適応第２画像６５０の一例を示す。例えば選択された交換用光源及び／又は選択された交換用光エミッタが、図２の光源２０４とは異なる色の光を放出する場合、適応第２画像６５０は、図３ｂの第２画像３５０とは異なって見える。物体の上面６５６は、異なる色で撮像され、また、光ビーム６５２／６５４のフットプリントは、別の色を有する。一例において、選択された交換用光源及び／又は選択された交換用光エミッタが、異なる形状の光ビームを放出する場合、フットプリント６５２／６５４の形状は異なる。
【００７８】
図７は、本発明の第２の態様によるモバイルデバイス７００を示す。前面７０４が左側に示され、背面７５４が右側に示されている。モバイルデバイス７００は、少なくとも、処理ユニット７０２と、データストレージ７０３と、第１カメラ７５６とを含む。第１カメラ７５６は、画像処理システム（図示せず）及び光学システム（図示せず）を含み、それらのパラメータは、画像を第１カメラで取得する際に、第１カメラ７５６によって自動的に調節されて、撮像物体又は環境の高品質画像が取得される。このようなパラメータは、上記された通りであり、シャッタ速度、焦点距離、アパーチャサイズ、画像センサ感度、色補正、カラーバランス等を含む。データストレージ７０３は、光源の特性を決定する方法の上記された実施形態のうちの１つの実施形態、又は、交換用光源を選択する方法の上記された実施形態のうちの１つの実施形態のステップを実行するように適応されたコンピュータプログラムコードを含むコンピュータプログラムを記憶している。第１カメラ７５６は、処理ユニット７０２に連結され、処理ユニット７０２は、データストレージ７０３に連結されている。処理ユニット７０２は、データストレージ７０３に記憶されているコンピュータプログラムを実行する。データストレージは、例えばハードディスク、揮発性又は不揮発性メモリ等といった任意のデータストレージ媒体を含んでよい。
【００７９】
モバイルデバイス７００は、任意選択的に、モバイルデバイス７００の前面７０４に配置される第２カメラ７０６を含む。第２カメラも処理ユニット７０２に連結されている。また、第２カメラも画像処理システム及び光学システムを含み、これらのパラメータは、画像を第２カメラ７０６で画像を取得する際に、第２カメラ７０６によって自動的に調節されて、撮像物体又は環境の高品質画像が取得される。第２カメラ７０６は、第１カメラ７５６が画像を取得する第１方向とは実質的に反対の第２方向において画像を取得する。
【００８０】
モバイルデバイス７００の前面７０４は、任意選択的に、ディスプレイ７８６と、ユーザ入力を受信する入力手段７１０とを含む。入力手段７１０は、例えば押しボタン、タッチパッド又はキーバッドであってよい。例えばタッチパッドは、ユーザが指を入力手段７１０上で動かすとユーザの指の動きを検知する。別の実施形態では、ディスプレイ７８６は、ユーザ入力をその上で受信するタッチディスプレイによって構成される。
【００８１】
モバイルデバイス７００は更に、モバイルデバイスのユーザに、第１カメラで光源の第１画像を取得するように指示する命令を含むコンピュータプログラムを含む。コンピュータプログラムは、モバイルデバイス７００のユーザに指示するようにディスプレイ７８６を動作させるコンピュータプログラムコード、即ち、命令を含む。任意選択的に、コンピュータプログラムは更に、取得された第１画像をディスプレイ７８６上に提示するための命令を含む。任意選択的に、モバイルデバイス７００が、カメラを１つしか（例えば第１カメラ７６５しか）含まない場合、コンピュータプログラムは、ユーザに、照射環境の第２画像を取得するために、携帯電話機を実質的に反対方向に向けるように指示する命令を含む。任意選択的に、コンピュータプログラムは、処理ユニットに、取得された第２画像をディスプレイ７８６上に提示するように指示する。更に、コンピュータプログラムによって実現される方法が、交換用光源及び／又は交換用光エミッタを提案する場合、当該提案は、ディスプレイ７８６を介して、ユーザに伝えられる。任意選択的に、一実施形態では、モバイルデバイス７００は、交換用光源及び／又は交換用光エミッタを有する内部データベースを含む。別の実施形態では、モバイルデバイス７００は、交換用光源及び／又は交換用光エミッタを有するデータベースに連結されているネットワークに接続するためのネットワークインターフェースを含む。更に別の実施形態では、モバイルデバイス７００上に記憶されているコンピュータプログラムによって実現される方法は、提案された交換用光源／光エミッタの影響をシミュレートし、適応第２画像をディスプレイ７８６上に提示する。
【００８２】
なお、モバイルデバイス７００は、本発明の第１の態様による方法を実行するデバイスの一例に過ぎない。ディスプレイ及びウェブカメラを有する従来のコンピュータといった別のタイプのデバイスも、正しいプログラムコードが提供される場合に、本発明による方法を実行することができる。
【００８３】
以下に、追加の実施形態について述べる。
【００８４】
連続照明状態の実施形態−ここでは、第１のシステムは、単一の前向きカメラか、又は、前向きカメラ及び後向きカメラの両方を組み込んだモバイルデバイスで構成されている。モバイルデバイスは、任意選択的に、慣性航行システム（ＩＮＳ）の機能を提供するように使用されるジャイロスコープ、加速度計及び処理手段を含む。画像センサ及び関連付けられる処理システムは、それによって、有効アパーチャ、速度、ＩＳＯ及び他の特徴が変更される機能を組み込んでいる。モバイルデバイスは、ワイヤレス接続を介して、プロセッサ、メモリ及び通信インターフェースを含むサーバに直接的に又は間接的に接続される。
【００８５】
当該システム上で、（前向き画像センサ及び後向き画像センサの両方を有するモバイルデバイスについて）次の通りに方法が実行される。
１．ユーザ又は別のアプリケーションが、「光源交換」モバイルデバイスアプリケーション診断を選択する。
２．ユーザは、モバイルデバイスの前向き画像センサ及び後向き画像センサを使用して、照明源を提供しているランプ及び／又は照明シーンを撮像するように指示される。
３．ユーザは、照明の光源及び／又はシーンを撮像する。
４．モバイルデバイスは、画像を解析して、撮像された光源が閾値を超えている可能性を確認する。
５．モバイルデバイスは、前向き画像センサ及び後向き画像センサの両方から画像を取得し、アパーチャ、速度、焦点及び他の設定を、取得画像と一貫するように自動的に調節する。設定は、画像と共に、メタデータとして記憶される。
６．任意選択的に、照射シーンの画像が解析されて、２つ以上の照明源の存在を示唆する影があるかどうかを決定する。影がある場合、これらの影は更に解析されて、光源の推定数が決定される。毎回ステップ２から開始する反復処理を介して、ユーザは、撮像されるべき残りの光源の数が知らされ、当該値が正しいか確認するように求められる。これは、すべての可能な光源が撮像されるまで繰り返される。
７．光源の取得画像は、適切なアルゴリズムによって解析されて、光源の可能な推定タイプ、サイズ、パワー及び形状が決定される。例えば光源は点状（ＬＥＤ、ハロゲンスポットライト等）であるか、パネル状（ＯＬＥＤ、蛍光管等）であるかが決定される。画像データと共に画像のメタデータを使用して、更なる診断が行われて、推定パワー、テクノロジタイプ、カメラからの距離等が決定される。これらは、次に、すべての可能なランプタイプのリストをフィルタリングして、短めのリストを生成するために使用される。ユーザは、当該リストから、実際のランプタイプを選択するように促される。ステップ７からの出力は、ランプの特性を示す値のセットである。特性は、テクノロジタイプ、パワー、形状等を含む。
８．このランプデータは、次に、シーンの取得画像に関連付けられ、モバイルデバイス上でローカルに記憶されるか、及び／又は、サーバに通信される。
９．ステップ８からのランプデータを用いつつ、アルゴリズムを使用して、元のランプ（そのデータはステップ８において取得されている）と交換するために使用される（既知の属性を有する）新しいランプの影響がシミュレートされる。新しいシーンの表現が、新しいランプの特性に基づいて計算され、モバイルデバイスのディスプレイを使用して、ユーザに表示される。
【００８６】
或いは、上記ステップ５とステップ６との間で、ユーザは、照射シーンの画像を撮るように指導される。これは、モバイルデバイスのＩＮＳ機能を使用して実現される。ＩＮＳ機能は、ユーザに、（可聴式、可視、触感による又は他のインターフェースを介して）デバイスを、軸の周りで１８０度、回転させるように指導する。その後、ステップ３乃至５が繰り返されるが、照明シーンによって、照明源が取って代わられている。
【００８７】
可変照明状態の実施形態−ここでは、システムは、単一の前向きカメラか、又は、前向きカメラ及び後向きカメラの両方を組み込んだモバイルデバイスで構成されている。モバイルデバイスは、任意選択的に、慣性航行システム（ＩＮＳ）の機能を提供するように使用されるジャイロスコープ、加速度計及び処理手段を含む。画像センサ及び関連付けられる処理システムは、それによって、有効アパーチャ、速度、ＩＳＯ及び他の特徴が変更される機能を組み込んでいる。モバイルデバイスは、ワイヤレス接続を介して、プロセッサ、メモリ及び通信インターフェースを含むサーバに直接的に又は間接的に接続される。撮像されるランプは、手動スイッチを介する制御手段を有するか、又は、制御システム介して自動的に制御される。当該制御システムは、任意選択的に、モバイルデバイスへの接続性を有する。
【００８８】
当該システム上で、（前向き画像センサ及び後向き画像センサの両方を有するモバイルデバイスについて）次の通りに方法が実行される。
１．ユーザ又は別のアプリケーションが、「光源交換」モバイルデバイスアプリケーション診断を選択する。
２．動作に対するランプ状態の数ｎが決定される。
３．ランプ状態は、手動又は自動手段によって、状態（Ａ＋反復回数、例えばＡ１、Ａ２、…、Ａｎ）に設定される。
４．ユーザは、モバイルデバイスの前向き画像センサ及び後向き画像センサを使用して、照明源を提供しているランプ及び／又は照明シーンを撮像するように指示される。
５．ユーザは、照明の光源及び／又はシーンを撮像する。
６．モバイルデバイスは、画像を解析して、撮像された光源が閾値を超えている可能性を確認する。
７．モバイルデバイスは、前向き画像センサ及び後向き画像センサの両方から画像を取得し、アパーチャ、速度、焦点及び他の設定を、取得画像と一貫するように自動的に調節する。設定は、画像と共に、メタデータとして記憶される。
８．照明状態のそれぞれが取得されるまで、ステップ３乃至７が繰り返される。
９．任意選択的に、照射シーンの画像が解析されて、２つ以上の照明源の存在を示唆する影があるかどうかを決定する。影がある場合、これらの影は更に解析されて、光源の推定数が決定される。毎回ステップ２から開始する反復処理を介して、ユーザは、撮像されるべき残りの光源の数が知らされ、当該値が正しいか確認するように求められる。これは、すべての可能な光源が撮像されるまで繰り返される。
１０．光源の取得画像は、適切なアルゴリズムによって解析されて、光源の可能な推定タイプ、サイズ、パワー及び形状が決定される。例えば光源は点状（ＬＥＤ、ハロゲンスポットライト等）であるか、パネル状（ＯＬＥＤ、蛍光管等）であるかが決定される。画像データと共に画像のメタデータを使用して更なる診断が行われて、推定パワー、テクノロジタイプ、カメラからの距離等が決定される。これらは、次に、すべての可能なランプタイプのリストをフィルタリングして、短めのリストを生成するために使用される。ユーザは、当該リストから、実際のランプタイプを選択するように促される。ステップ１０からの出力は、ランプの特性を示す値のセットである。特性は、テクノロジタイプ、パワー、形状等を含む。
１１．このランプデータは、次に、シーンの取得画像に関連付けられ、モバイルデバイス上でローカルに記憶されるか、及び／又は、サーバに通信される。
１２．ステップ１１からのランプデータを用いつつ、アルゴリズムを使用して、元のランプ（そのデータはステップ１１において取得されている）と交換するために使用される（既知の属性を有する）新しいランプの影響がシミュレートされる。新しいシーンの表現が、新しいランプの特性に基づいて計算され、モバイルデバイスのディスプレイを使用して、ユーザに表示される。
【００８９】
状況によっては、非モバイルデバイス画像センサが使用されてもよい。これらは、例えばテレビに組み込まれたウェブカメラリンクを含んでもよい。この場合、１つの位置からしか撮像されないので、追加の処理及び／又は異なる方法が必要となる。
【００９０】
上記実施形態の変形も可能であり、例えば連続照明状態の例において見られるように、ＩＮＳ機能と、単一のセンサのみを有する変形も可能である。
【００９１】
要約するに、光源の特性を決定する方法及びデバイスと、交換用光源を選択する方法とが提供される。当該方法は、動作している光源の第１画像を取得し、照射環境の第２画像を取得し、第１画像及び第２画像が取得された各瞬間における対応する第１カメラ及び第２カメラの光学システム及び画像処理システムの第１カメラ設定及び第２カメラ設定を取得する。第１画像、第２画像、並びに、第１及び第２カメラ設定は解析されて、光源の特性が推定される。光源の特性は、交換用光源を提案するために使用され、提案される交換用光源の特性は、交換用光源の照射環境への影響をシミュレートするために使用される。
【００９２】
なお、上記実施形態は、本発明を限定するのではなく、例示するものである。当業者であれば、添付の請求項の範囲から離れることなく、多くの代替実施形態をデザインできるであろう。
【００９３】
請求項において、括弧内に置かれた任意の参照符号は、当該請求項を制限するものと解釈されるべきではない。「含む」との動詞及びその活用形の使用は、請求項に記載される要素又はステップ以外の要素又はステップの存在を排除するものではない。要素に先行する「ａ」又は「ａｎ」との用語は、その要素が複数存在することを排除するものではない。本発明は、幾つかの別個の要素を含むハードウェアによって実施されても、適切にプログラムされたコンピュータ又は処理ユニットによって実施されてもよい。幾つかの手段を列挙する装置クレームにおいて、これらの手段の幾つかは、同じハードウェアアイテムによって具現化されてもよい。特定の手段が相互に異なる従属請求項に記載されることだけで、これらの手段の組み合わせを有利に使用することができないことを示すものではない。
【図１】
2016524265.tif 000003
【図２】
2016524265.tif 000004
【図３ａ】
2016524265.tif 000005
【図３ｂ】
2016524265.tif 000006
【図４ａ】
2016524265.tif 000007
【図４ｂ】
2016524265.tif 000008
【図５ａ】
2016524265.tif 000009
【図５ｂ】
2016524265.tif 000010
【図６ａ】
2016524265.tif 000011
【図６ｂ】
2016524265.tif 000012
【図７】
2016524265.tif 000013
【国際調査報告】
2016524265.tif 000014
2016524265.tif 000015